【事件の表示】
　平成　７年特許願第　３４０８０号「データ再生装置とデータ再生方法」拒絶査定不服審判事件〔平成　８年　９月１３日出願公開、特開平　８−２３５５９１〕について、次のとおり審決する。
【結　論】
　本件審判の請求は、成り立たない。
【理　由】
第１　手続の経緯
　
　本願は、平成７年２月２２日の出願であって、平成１７年１月７日付けの拒絶理由通知に対する応答期間内の同年３月２２日付けで手続補正がなされたが、同年５月１６日付けで拒絶査定がなされ、これに対し、平成１７年６月２３日に拒絶査定不服審判が請求されるとともに、同年７月２５日付けで手続補正がなされたものである。
　
第２　平成１７年７月２５日付けの手続補正についての補正却下の決定
　
［補正却下の決定の結論］
　平成１７年７月２５日付けの手続補正を却下する。
　
［理由］
１．本件補正
　平成１７年７月２５日付けの手続補正（以下「本件補正」という。）による特許請求の範囲の補正は、補正前に、
「【請求項１】
　先頭領域に参照データ、データ領域に同期データおよび再同期データを有する所定の記録媒体のセクタそれぞれから再生信号として読み出し、少なくとも前記同期データおよび前記再同期データを用いて前記再生信号から前記セクタそれぞれに記録されたデータを再生するデータ再生装置であって、
　前記再生信号から参照データを検出する参照データ検出回路と、
　前記参照データが検出されたタイミングに基づいて、前記同期データの位置を示す同期窓信号を生成する同期窓信号生成回路と、
　前記同期窓信号が示すタイミングで前記再生信号から前記同期データを検出する同期データ検出回路と、
　前記同期データが検出されたタイミングに基づいて、前記再同期データの位置を示す第１の再同期窓信号を生成する第１の再同期窓信号生成回路と、
　前記同期窓信号の略中央位置におけるタイミングに基づいて、前記第１の再同期窓信号と略同一幅であって、前記再同期データの位置を示す第２の再同期窓信号を生成する第２の再同期窓信号生成回路と、
　前記同期データが検出された場合には前記第１の再同期窓信号を選択し、前記同期データが検出されなかった場合には前記第２の再同期窓信号を選択する選択回路と、
　前記選択信号が示すタイミングで前記再同期データを検出する再同期データ検出回路と
　を有するデータ再生装置。
　【請求項２】
　先頭領域に参照データ、データ領域に同期データおよび再同期データを有する所定の記録媒体のセクタそれぞれから再生信号として読み出し、少なくとも前記同期データおよび前記再同期データを用いて前記再生信号から前記セクタそれぞれに記録されたデータを再生するデータ再生方法であって、
　前記再生信号から参照データを検出し、
　前記参照データが検出されたタイミングに基づいて、前記同期データの位置を示す同期窓信号を生成し、
　同期窓信号が示すタイミングで前記再生信号から前記同期データを検出し、
　前記同期データが検出されたタイミングに基づいて、前記再同期データの位置を示す第１の再同期窓信号を生成し、
　前記同期窓信号の略中央位置におけるタイミングに基づいて、前記第１の再同期窓信号と略同一幅であって、前記再同期データの位置を示す第２の再同期窓信号を生成し、
　前記同期データが検出された場合には前記第１の再同期窓信号を選択し、前記同期データが検出されなかった場合には前記第２の再同期窓信号を選択して選択信号として出力し、
　前記選択信号が示すタイミングで前記再同期データを検出する
　データ再生方法。」
　とあったところを、
　
「【請求項１】
　先頭領域に参照データ、データ領域に同期データおよび再同期データを有する所定の記録媒体のセクタそれぞれから再生信号として読み出し、少なくとも前記同期データおよび前記再同期データを用いて前記再生信号から前記セクタそれぞれに記録されたデータを再生するデータ再生装置であって、
　前記再生信号から参照データを検出する参照データ検出回路と、
　前記参照データが検出されたタイミングに基づいて、前記同期データの検出に用いられる同期窓信号を生成する同期窓信号生成回路と、
　前記再生信号から前記同期データを検出する同期データ検出回路と、
　前記同期データが検出されたタイミングに基づいて、前記再同期データ
の検出に用いられる
　前記同期窓信号の略中央位置におけるタイミングに基づいて、前記第１の再同期窓信号と略同一幅であって、前記再同期データ
の検出に用いられる
　
前記同期窓信号が示すタイミングで
前記同期窓信号が示すタイミングで
　前記選択信号が示すタイミングで前記再同期データを検出する再同期データ検出回路と
　を有するデータ再生装置。
　【請求項２】
　先頭領域に参照データ、データ領域に同期データおよび再同期データを有する所定の記録媒体のセクタそれぞれから再生信号として読み出し、少なくとも前記同期データおよび前記再同期データを用いて前記再生信号から前記セクタそれぞれに記録されたデータを再生するデータ再生方法であって、
　前記再生信号から参照データを検出し、
　前記参照データが検出されたタイミングに基づいて、前記同期データの検出に用いられる同期窓信号を生成し、
　前記再生信号から前記同期データを検出し、
　前記同期データが検出されたタイミングに基づいて、前記再同期データ
の検出に用いられる
　前記同期窓信号の略中央位置におけるタイミングに基づいて、前記第１の再同期窓信号と略同一幅であって、前記再同期データ
の検出に用いられる
　
前記同期窓信号が示すタイミングで
前記同期窓信号が示すタイミングで
　前記選択信号が示すタイミングで前記再同期データを検出する
　データ再生方法。」
　
　と、概略、上記下線部を付加するものであり、これらはいずれも発明を特定するための事項を限定するものであるから、平成１８年改正前特許法第１７条の２第４項第２号の特許請求の範囲の減縮を目的とするものに該当する。
　
　そこで、本件補正後の前記請求項１に係る発明（以下「本願補正発明」という。）が特許出願の際独立して特許を受けることができるものであるか（平成１８年改正前特許法第１７条の２第５項において準用する同法第１２６条第５項に規定する要件を満たすか）否かについて以下検討する。
　
　なお、本件補正の請求項１には、「第２の再同期窓信号選択」（同１６行目）と記載されているが、本件補正前の請求項１には、「第２の再同期窓信号
を
　
２．引用例、及びその記載事項
　
　原査定の拒絶の理由に引用された特開平７−２９３１１号公報（平成７年１月３１日公開、以下「引用例１」という。）には、デイスク再生装置に関し、図面と共に、以下の記載がある。なお、下線は当審で付与した。
　
（１）「【０００２】
【産業上の利用分野】本発明は
デイスク再生装置
【０００３】
【従来の技術】従来、光磁気デイスク装置においては、光磁気デイスクに所定周期で記録した同期パターンを基準にして所望のデータを記録再生し得るようになされている。すなわち図４に示すように、この
光磁気デイスクは記録領域が放射状に分割されてセクタが形成され、各セクタの先頭に記録トラツク情報及びセクタ情報等の位置情報でなる識別データＩＤ（図４（Ａ））が記録され、続く領域に所望のデータが記録される
【０００４】この光磁気デイスクには、
始めに３バイトの第１の同期パターンＳＹＮＣが記録され、さらに所定の周期で（数十バイトおきに）１バイトの第２の同期パターンＲＳが記録される
　
（２）「【０００６】
【発明が解決しようとする課題】ところでこの
第２の同期パターンＲＳを検出する際、ウインドウ信号のウインドウ幅を狭くすれば、光磁気デイスク上の欠陥等に伴う第２の同期パターンの誤検出を低減することができるので、記録密度を向上することができる。ところがウインドウ幅を狭くしてしまうと、ジツタ等により再生信号に時間軸変動が発生した場合、第２の同期パターンＲＳを検出し得ない恐れがある
【０００７】本発明は以上の点を考慮してなされたもので、
第２の同期パターンを高い精度で確実に検出し得るデイスク再生装置を提案しようとするものである
【０００８】
【課題を解決するための手段】かかる課題を解決するため本発明においては、
記録トラックに沿って所定周期で第１の同期パターンＳＹＮＣが形成されると共に、互いに隣り合う第１の同期パターンＳＹＮＣ間に、第１の同期パターンＳＹＮＣよりビット数の少ない第２の同期パターンＲＳが複数個記録されたデイスク状記録媒体２から情報信号を再生するデイスク再生装置１
　
（３）「【００１２】
【実施例】以下図面について、本発明の一実施例を詳述する。
【００１３】図１において、１は全体として光磁気デイスク装置を示し、光磁気デイスク２に記録されたデータを再生する。すなわち光磁気デイスク装置１は、スピンドルモータ３を駆動して光磁気ディスク２を所定の回転速度で回転駆動し、この状態で
光ピツクアップ４から光ビームを照射して反射光を受光することにより、光磁気デイスク２の記録情報より再生信号を検出する
この再生信号を所定の信号処理回路で増幅及び２値化し、この結果得られる再生データＲ（図２（Ａ））を、データ復調回路５、シンク検出回路６、リシンク検出回路７及びＩＤ検出回路８に出力する
【００１４】ここで
シンク検出回路６は、所定のシンク検出パターンと連続して供給される再生データＲとを順次比較することにより、再生データＲから第１の同期パターンＳＹＮＣを検出する。そしてこの第１の同期パターンＳＹＮＣの検出タイミングで、信号レベルがＨｉｇｈになるパルス状のシンク検出信号Ｓ１（図２（Ｂ））を生成し、このシンク検出信号Ｓ１をデータ復調回路５に出力する
【００１５】
データ復調回路５は、このシンク検出信号Ｓ１を基準にして再生データＲについて、バイト同期して順次信号処理する
シンク検出回路６は、この第１の同期パターンＳＹＮＣが検出されると、所定のシンク検出フラグＦ１（図２（Ｃ））のレベルをＨｉｇｈにし、このシンク検出フラグＦ１を検出状況判断回路１０に出力する
【００１６】
リシンク検出回路７は、ウインドウ信号ＷＩＮ（図２（Ｇ））の信号レベルがＨｉｇｈの期間、連続して供給される再生データＲと所定のリシンク検出パターンとを比較することにより、第２の同期パターンＲＳを検出する。そしてこの第２の同期パターンＲＳの検出タイミングで、信号レベルがＨｉｇｈになるパルス状のリシンク検出信号Ｓ２（図２（Ｄ））を生成し、このリシンク検出信号Ｓ２をデータ復調回路５に出力する
【００１７】
データ復調回路５は、このリシンク検出信号Ｓ２に基づいて信号処理のタイミングを補正し、これによりバイト同期が補正される
【００１８】検出状況判断回路１０は演算処理回路構成でなり、入力されるシンク検出フラグＦ１及びリシンク検出フラグＦ２を基準にして、第１及び第２の同期パターンＳＹＮＣ及びＲＳの検出状況をそれぞれ判断する。そして検出状況判断回路１０は、第１及び第２の同期パターンＳＹＮＣ及びＲＳが正しく検出されているとき、ウインドウ信号ＷＩＮのウインドウ幅を狭く切り換える。すなわち
検出状況判断回路１０は、シンク検出フラグＦ１又はリシンク検出フラグＦ２がＨｉｇｈになると、切換信号発生回路１１を制御して切り換え信号Ｃ（図２（Ｆ））のレベルをＨｉｇｈに切り換える
【００１９】これに対応して
ウインドウ信号切換回路１２は、それぞれウインドウ信号生成回路１３及び１４から出力される第１及び第２のウインドウ信号ＷＩＮ１及びＷＩＮ２の一方を選択し、その選択出力をウインドウ信号ＷＩＮとしてリシンク検出回路７に出力する。例えばこの実施例の場合、ウインドウ信号切換回路１２は、切り換え信号Ｃの信号レベルがＨｉｇｈになると、第１のウインドウ信号ＷＩＮ１よりウインドウ幅の狭い第２のウインドウ信号ＷＩＮ２を選択して出力する
【００２０】ここで
ウインドウ信号生成回路１３は、例えば１バイトの第２の同期パターンＲＳに対して、前後１バイトでなる２バイト分の期間Ｗ１の間で信号レベルがＨｉｇｈになる第１のウインドウ信号ＷＩＮ１を生成する。この第１のウインドウ信号ＷＩＮ１は識別データＩＤの位置に基づいて、第１の同期パターンＳＹＮＣに続く先頭の第２の同期パターンＲＳが存在すべきタイミングと、続いて第２の同期パターンＲＳが順次存在すべきタイミングで信号レベルがＨｉｇｈになるように生成される
【００２１】実際上第１のウインドウ信号ＷＩＮ１の生成タイミングは、
ＩＤ検出回路８で再生データＲ中より検出された識別データＩＤ
【００２２】また
ウインドウ信号生成回路１４は、この第１のウインドウ信号ＷＩＮ１よりウインドウ幅の狭い例えば１バイト分の期間Ｗ２の間信号レベルがＨｉｇｈになる第２のウインドウ信号ＷＩＮ２を生成する。この第２のウインドウ信号ＷＩＮ２は第１又は第２の同期パターンＳＹＮＣ又はＲＳが検出されたタイミングより、次に第２の同期パターンＲＳが存在すべきタイミングで立ち上がるように生成される
【００２３】実際上第２のウインドウ信号ＷＩＮ２の生成タイミングは、シンク検出信号Ｓ１又はリシンク検出信号Ｓ２の論理和をオア回路１７で求め、このシンク検出信号Ｓ１又はリシンク検出信号Ｓ２のタイミングからカウントを開始するカウンタ１８からのカウントデータに基づいて得るようになされている。なおこの実施例の場合、ウインドウ信号切換回路１２によるウインドウ幅の制御は、第１の同期パターンＳＹＮＣで区切られた１記録単位毎にリセットされ、まずウインドウ幅の広い第１のウインドウ信号ＷＩＮ１が選択される。
【００２４】以上の構成において、図２について上述したように、
第１の同期パターンＳＹＮＣが正しく検出されるとシンク検出フラグＦ１がＨｉｇｈになることにより（図２（Ａ）及び（Ｂ））、検出状況判断回路１０は切換信号発生回路１１を制御して切り換え信号Ｃの信号レベルがＨｉｇｈに立ち上げる
【００２５】
この結果ウインドウ信号切換回路１２は、ウインドウ幅の狭い第２のウインドウ信号ＷＩＮ２を選択出力する。従ってリシンク検出回路７は、このウインドウ幅の狭い第２のウインドウ信号ＷＩＮ２を基準にして第２の同期パターンＲＳを検出する
【００２６】これに対して、図３に示すように
第１の同期パターンＳＹＮＣを検出できなかった場合、シンク検出フラグＦ１がＨｉｇｈにならないことにより（図３（Ａ）及び（Ｃ））、検出状況判断回路１０は切換信号発生回路１１を制御して切り換え信号ＣのレベルをＬｏｗに保持する
【００２７】
この結果ウインドウ信号切換回路１２は、ウインドウ幅の広い第１のウインドウ信号ＷＩＮ１（図３（Ｇ））を選択出力する。従ってリシンク検出回路７は、このウインドウ幅の広い第１のウインドウ信号ＷＩＮ１を基準にして第２の同期パターンＲＳを検出する
　
　引用例１は、従来の光磁気デイスク（図４）の記録情報を再生するものであることを踏まえて上記各摘示事項及び図面を参照し、総合整理すると、引用例１には、次の発明（以下「引用発明」という。）が記載されているものと認める。
　　
「記録領域が放射状に分割されてセクタが形成され、各セクタの先頭に識別データが記録され、続く領域にデータが記録され、始めに第１の同期パターンが記録され、さらに所定の周期で第２の同期パターンが記録された光磁気デイスク（デイスク状記録媒体）から情報信号を再生するデイスク再生装置であって、
　デイスク状記録媒体より再生信号を検出する光ピツクアップと、
　再生信号を増幅及び２値化し、再生データを得る信号処理回路と、
　再生データより識別データＩＤを検出する検出回路と、
　再生データから第１の同期パターンを検出するシンク検出回路であって、
　第１の同期パターンの検出タイミングで、シンク検出信号を生成し、出力し、また第１の同期パターンが検出されると所定のシンク検出フラグのレベルをＨｉｇｈにし、シンク検出フラグを出力するシンク検出回路と、
　シンク検出信号を基準にして再生データについて、バイト同期して順次信号処理するデータ復調回路と、
　シンク検出フラグがＨｉｇｈになると、切り換え信号のレベルをＨｉｇｈに切り換える検出状況判断回路と、
　第１の同期パターンが検出されたタイミングより、次に第２の同期パターンが存在すべきタイミングで生成される（第１のウインドウ信号ＷＩＮ１よりウインドウ幅の狭い）第２のウインドウ信号ＷＩＮ２を生成するウインドウ信号生成回路１４と、
　識別データの位置に基づいて、第１の同期パターンに続く第２の同期パターンが存在すべきタイミングで生成される第１のウインドウ信号ＷＩＮ１を生成するウインドウ信号生成回路１３と、
　ウインドウ信号生成回路１３及び１４から出力される第１及び第２のウインドウ信号ＷＩＮ１及びＷＩＮ２の一方を選択し、その選択出力をウインドウ信号ＷＩＮとして出力するウインドウ信号切換回路であって、
　切り換え信号のレベルがＨｉｇｈになると、（第１のウインドウ信号ＷＩＮ１よりウインドウ幅の狭い）第２のウインドウ信号を選択するウインドウ信号切換回路と、
　ウインドウ信号ＷＩＮの信号レベルがＨｉｇｈの期間、第２の同期パターンを検出するリシンク検出回路であって、
　第２の同期パターンの検出タイミングで、リシンク検出信号を生成し、（上記）データ復調回路に出力するリシンク検出回路と
　を有するデイスク再生装置。」
　
　同じく、原査定の拒絶の理由に引用された特開平３−１４４９６８号公報（平成３年６月２０日公開、以下「引用例２」という。）には、図面と共に、以下の記載がある。
　
（４）「このフォーマットの一例を第６図に示す。セクタのデータは、ＰＬＬ同期引き込みのための同期引き込み信号１（ＶＣＯ）、データの先頭を識別するためのデータマーク２（ＤＭ）、一定の間隔毎に設けられ、データの復調に再同期をかけるための再同期信号３（ＲＳ）、及びｍ個のブロック（以下フレームと呼ぶ）に分割されたデータ部４で構成されている。データの記録再生は、セクタの先頭にあるセクタ識別子５（ＩＤ）を検出し、目標セクタのアドレスを読みとって実行する。」（２頁右上欄８〜１８行）
　
（５）「データマーク検出回路１４及び再同期信号検出回路１５では、入力された２値化再生信号１０１の中にデータマーク、再同期信号のビットパターンが現れた時、各々データマーク検出信号１０５（以下ＤＭ検出信号と称する）、ＲＳ検出信号１０６を出力する。ＲＳ検出信号１０６から１フレーム遅延回路１８によってＲＳ予備信号１０９が生成され、ＲＳ検出信号１０６とＲＳ予測信号１０９より位置比較回路１９で位置の比較がおこなわれる。比較結果１１０より、ＲＳ情報生成回路２０でＲＳ情報１１１をタイミングゲート信号１６にフィードバックされる。ＲＳゲート信号のゲートタイミング、ゲート幅はアドレス識別子検出信号１０３からの初期値が設定されているタイミング１１２によってタイミングゲート生成回路２１およびゲート幅生成回路２２に与えられる（ＤＭ部および先頭のフレームのＲＳ）。」（３頁左上欄１７行〜右上欄１４行）
　　
３．対比
　
　そこで、本願補正発明と引用例１に記載された発明とを対比する。
　
（１）引用発明における「識別データＩＤ」「（識別データ領域に）続く領域」「第１の同期パターン」「第２の同期パターン」「ディスク状記録媒体」「セクタ」「再生データ」「情報信号」及び「ディスク再生装置」は、それぞれ本願補正発明の「参照データ」「データ領域」「同期データ」「再同期データ」「記録媒体」「セクタ」「再生信号」「データ」及び「データ再生装置」に相当する。そして、引用発明の「データ復調回路」は、「シンク検出信号」及び「リシンク検出信号」に基づいて信号処理されるものである。
　そうすると、引用発明は、本願補正発明の「先頭領域に参照データ、データ領域に同期データおよび再同期データを有する所定の記録媒体のセクタそれぞれから再生信号として読み出し、少なくとも前記同期データおよび前記再同期データを用いて前記再生信号から前記セクタそれぞれに記録されたデータを再生するデータ再生装置」に相当する構成を備えている。
（２）引用発明における「再生データより識別データを検出する検出回路」は、本願補正発明の「再生信号から参照データを検出する参照データ検出回路」に相当する。
（３）引用発明の「再生データから第１の同期パターンを検出するシンク検出回路」は、本願補正発明の「再生信号から同期データを検出する同期データ検出回路」に相当する。
（４）引用発明の「第２のウインドウ信号ＷＩＮ２」は、本願補正発明の「第１の再同期窓信号」に相当するから、引用発明の「第１の同期パターンが検出されたタイミングより、次に第２の同期パターンが存在すべきタイミングで生成される（第１のウインドウ信号ＷＩＮ１よりウインドウ幅の狭い）第２のウインドウ信号ＷＩＮ２を生成するウインドウ信号生成回路１４」は、本願補正発明の「前記同期データが検出されたタイミングに基づいて、前記再同期データの検出に用いられる第１の再同期窓信号を生成する第１の再同期窓信号生成回路」に相当する。
（５）引用発明の「第１のウインドウ信号ＷＩＮ１」は、第２の同期パターンが存在すべきタイミングで生成されるから、本願補正発明の「第２の再同期窓信号」に相当する。そうすると、引用発明の「ウインドウ信号生成回路１３」は、「再同期データの検出に用いられる第２の再同期窓信号を生成する」点で、本願補正発明の「第２の再同期窓信号生成回路」に相当する。
（６）引用発明の「ウインドウ信号切換回路」は、切り換え信号のレベルがＨｉｇｈになると、第２のウインドウ信号ＷＩＮ２を選択するから、「前記同期データが検出された場合には前記第１の再同期窓信号を選択し、」「前記同期窓信号が示すタイミングで前記同期データが検出されなかった場合には前記第２の再同期窓信号を選択する」点で、本願補正発明の「選択回路」に相当する。
（７）引用発明の「ウインドウ信号ＷＩＮの信号レベルがＨｉｇｈの期間、第２の同期パターンを検出するリシンク検出回路」は、本願補正発明の「前記選択信号が示すタイミングで前記再同期データを検出する再同期データ検出回路」に相当する。
　　
　そうすると、本願補正発明と引用例１に記載された発明とは、次の点で一致する。
　
＜一致点＞
　「先頭領域に参照データ、データ領域に同期データおよび再同期データを有する所定の記録媒体のセクタそれぞれから再生信号として読み出し、少なくとも前記同期データおよび前記再同期データを用いて前記再生信号から前記セクタそれぞれに記録されたデータを再生するデータ再生装置であって、
　前記再生信号から参照データを検出する参照データ検出回路と、
　前記再生信号から前記同期データを検出する同期データ検出回路と、
　前記同期データが検出されたタイミングに基づいて、前記再同期データの検出に用いられる第１の再同期窓信号を生成する第１の再同期窓信号生成回路と、
　前記再同期データの検出に用いられる第２の再同期窓信号を生成する第２の再同期窓信号生成回路と、
　前記同期データが検出された場合には前記第１の再同期窓信号を選択し、前記同期データが検出されなかった場合には前記第２の再同期窓信号を選択する選択回路と、
　前記選択信号が示すタイミングで前記再同期データを検出する再同期データ検出回路と
　を有するデータ再生装置。」の点。
　
　そして、次の各点で相違する。
　
＜相違点＞
（ａ）本願補正発明は「参照データが検出されたタイミングに基づいて、前記同期データの検出に用いられる同期窓信号を生成する同期窓信号生成回路」を有するのに対し、引用発明は、「同期窓信号生成回路」を有しない点。
　
（ｂ）「第２の再同期窓信号」について、本願補正発明は、「同期窓信号の略中央位置におけるタイミングに基づいて」生成するのに対し、引用発明は、識別データの位置に基づいて生成する点。
　
（ｃ）「第２の再同期窓信号」について、本願補正発明は、さらに「第１の再同期窓信号と略同一幅」であるのに対し、引用発明は、第２の同期パターン（第１の再同期窓信号）より広い点。
　
（ｄ）「選択回路」について、本願補正発明は、「同期窓信号が示すタイミングで」同期データが検出された場合には第１の再同期窓信号を選択し、「同期窓信号が示すタイミングで」同期データが検出されなかった場合には第２の再同期窓信号を選択するのに対し、引用発明は、そのようになされていない点。
　
４．判断
　
　そこで、上記相違点について検討する。
　
（相違点ａについて）
　本願補正発明及び引用発明と同一技術分野に属する引用例２には、第１図も参酌すると、データマーク（同期データ）検出信号のゲートタイミング、ゲート幅はアドレス識別子（参照データ）検出信号から初期値が設定されているタイミングによってタイミングゲート生成回路及びゲート幅生成回路に与えられる（上記摘示事項（５）参照）と記載されている。要するに、識別データ（参照データ）の検出に基づいてデータマーク（同期データ）の検出のためのゲート信号（同期窓信号）を生成する技術が記載されている。
　そうすると、引用発明においても、第１の同期パターンの検出に際し、相違点ａのように「参照データが検出されたタイミングに基づいて、前記同期データの検出に用いられる同期窓信号を生成する同期窓信号生成回路」を有する構成とすることは、当業者が容易に想到できたものである。
　
（相違点ｂについて）
　本願明細書には、「第２の再同期窓信号」について、同期窓信号生成回路１６６は、参照データ検出回路１６２から入力された検出信号Ｓ１６２が活性化したタイミングに基づいて、同期データの位置を示す同期窓信号ＳＷを生成し、再同期窓信号生成回路１７２に対して出力する（段落【００２５】参照）、再同期窓信号生成回路１７２は、同期窓信号生成回路１６６の活性化した部分の所定の位置、例えば中央の部分からクロック信号ＣＫを所定の周期だけ計数し、再同期データＲＳ１〜ＲＳ５９それぞれの位置を示す第２の再同期窓信号Ｓ１７２を活性化し（段落【００２８】参照）と記載されている。これらの記載から、本願補正発明における「第２の再同期窓信号」は、参照データに基づいて生成された同期窓信号に基づいて（中央部から所定周期の位置で）生成されるものであり、そして、参照データの検出タイミングから同期窓信号までのタイミングは一定であるから、結局、参照データの検出タイミングから第２の再同期窓信号までのタイミングも一定である。
　一方、引用発明では、ウインドウ信号ＷＩＮ１（第２の再同期窓信号）は識別データ（参照データ）に基づいて生成するものである。
　そうすると、引用発明において、ウインドウ信号ＷＩＮ１（第２の再同期窓信号）を識別データ（参照データ）に基づいて生成するのに代えて、（参照データに基づいて生成された）同期窓信号に基づいて生成することは、当業者が適宜なし得たものであり、その際に、同期窓信号のどの位置を基準にするかは適宜なし得るものであり、略中央位置とすることも設計的事項にすぎないものである。
　　
（相違点ｃについて）
　引用例１には、第２の同期パターン（再同期窓信号）を検出する際、ウインドウ信号のウインドウ幅を狭くすれば、欠陥等に伴う誤検出を低減することができるが、ウインドウ幅を狭くするとジツタ等により再生信号に時間軸変動が発生した場合、第２の同期パターンを検出し得ない恐れがあることが記載されている。これらの記載から、第２の同期パターンのウインドウ信号のウインドウ幅は、誤検出や検出漏れ等を考慮して当業者が決定すべき設計的事項といえる
　そして、引用発明は、第２の同期パターンを高い精度で確実に検出するためにウインドウ信号のウインドウ幅を可変（第２のウインドウ信号ＷＩＮ２の幅が第１のウインドウ信号ＷＩＮ１の幅より狭い）にしたものであり、単に第２のウインドウ信号ＷＩＮ２（第１の再同期窓信号）と第１のウインドウ信号ＷＩＮ１（第２の再同期窓信号）とを略同一幅とする程度のことは、当業者が適宜になし得るものである。
　
（相違点ｄについて）
　相違点ａで検討したように、参照データが検出されたタイミングに基づいて、同期データの検出を行うことは、当業者が容易に想到できたものであるから、引用発明において、「同期窓信号が示すタイミングで」同期データが検出された場合には第１の再同期窓信号を選択し、「同期窓信号が示すタイミングで」同期データが検出されなかった場合には第２の再同期窓信号を選択することも当業者が適宜なし得る程度のものである。　
　
　そして、上記各相違点を総合的に判断しても、本願補正発明が奏する効果は引用例１乃至引用例２から、当業者が十分に予測できたものであって、格別なものとはいえない。
　
　したがって、本願補正発明は、引用例１乃至引用例２に記載された発明に基づいて当業者が容易に発明をすることができたものであるから、特許法第２９条第２項の規定により特許出願の際独立して特許を受けることができない。
　
５．本件補正についてのむすび
　
　以上のとおりであるから、本件補正は、平成１８年改正前特許法第１７条の２第５項で準用する同法第１２６条第５項に規定する要件を満たさないものであり、特許法第１５９条第１項で読み替えて準用する同法第５３条第１項の規定により却下すべきものである。
　
　
第３　本願発明について
　
１．本願発明
　
　平成１７年７月２５日付けの手続補正は上記のとおり却下されたので、本願の請求項１乃至２に係る発明は、平成１７年３月２２付け手続補正書により補正された明細書の、特許請求の範囲の請求項１乃至２に記載されたとおりのものと認められるところ、請求項１に係る発明（以下「本願発明」という。）は、上記「第２［理由］１．」に本願補正前の請求項１として記載したとおりである。
　
２．引用例、及びその記載事項
　
　原査定の拒絶の理由に引用された引用例、及びその記載事項は、上記「第２［理由］２．」に記載したとおりである。
　
３．対比・判断
　
　本願発明は、上記「第２［理由］」で検討した本願補正発明から、概略、「第１の再同期窓信号」について「の検出に用いられる」との構成、「第２の再同期窓信号」について、「の検出に用いられる」との構成、そして、「前記同期データが検出」について「前記同期窓信号が示すタイミングで」との構成を省略したものである。
　そうすると、本願発明の構成要件を全て含み、さらに他の構成要件を付加したものに相当する本願補正発明が、上記「第２［理由］」に記載したとおり、引用例１乃至引用例２に記載された発明に基づいて、当業者が容易に発明をすることができたものであるから、本願発明も同様の理由により、引用例１乃至引用例２に記載された発明に基づいて、当業者が容易に発明をすることができたものである。
　
４．むすび
　
　以上のとおりであるから、本願の請求項１に係る発明は、特許法第２９条第２項の規定により特許を受けることができない。
　したがって、本願は、その余の請求項について論及するまでもなく拒絶すべきものである。
　よって、結論のとおり審決する。